(57)【要約】【課題】野縁受け部材の上下方向の位置調整作業を迅速に行える野縁受け吊り下げ装置を提供する。【解決手段】建物躯体に取り付けられる取付部材２から吊り下げ部材６を介して野縁受け部材５を吊り下げ支持し、吊り下げ部材６は、上下方向に沿って形成される長孔を備え、長孔を介して吊り下げ部材６との上下方向での相対位置が変更可能に構成される位置変更部材３を備え、位置変更部材３は、吊り下げ部材６に係止により固定される状態と係止を解除して固定が解除される状態とに切替自在な係止機構を備え、吊り下げ部材６の下端部と野縁受け部材５とが連結され、かつ、取付部材２が位置変更部材３に連結されている。【選択図】図１
2020084564.tif 000002
【特許請求の範囲】
【請求項１】
建物躯体に取り付けられる取付部材から上下方向に延びる吊り下げ部材を介して野縁受け具を受け止める野縁受け部材を吊り下げ支持するための野縁受け吊り下げ装置であって、
前記吊り下げ部材は、上下方向に沿って形成される長孔を備え、
前記長孔を介して前記吊り下げ部材との上下方向での相対位置が変更可能に構成される位置変更部材を備え、
前記位置変更部材は、前記吊り下げ部材に係止により固定される状態と係止を解除して固定が解除される状態とに切替自在な係止機構を備え、
前記取付部材と前記吊り下げ部材の上端部とが連結され、かつ、前記野縁受け部材が前記位置変更部材に連結されている、又は前記吊り下げ部材の下端部と前記野縁受け部材とが連結され、かつ、前記取付部材が前記位置変更部材に連結されていることを特徴とする野縁受け吊り下げ装置。
【請求項２】
前記取付部材と前記吊り下げ部材の上端部とが連結され、かつ、前記野縁受け部材が前記位置変更部材に連結されており、前記吊り下げ部材が、前記長孔が形成された本体と、該本体の幅方向両端から内向きに折り曲げられて互いに対向する一対の板部と、を備え、前記野縁受け部材が、底部と底部の両端から上方に立ち上げられて対向する一対の縦板部とで形成される略Ｕ字状の野縁受け本体と、前記一方の縦板部から上方に延びるとともに前記野縁受け本体が移動時に前記吊り下げ部材に干渉しないようにオフセットされた状態で前記位置変更部材に連結される延出部と、を備え、該延出部の前記位置変更部材に連結される連結部分が前記一対の板部間に位置していることを特徴とする請求項１に記載の野縁受け吊り下げ装置。
【請求項３】
前記位置変更部材は、回転操作可能な係止体と、該係止体と前記吊り下げ部材との間に挟まれる板バネ状部材と、前記吊り下げ部材に上下方向に沿って形成される長孔を挿通し前記係止体及び板バネ状部材を抜け止め状態で連結する連結部材と、を備え、前記長孔は、長さ方向に広幅部と狭幅部とが交互に形成され、前記係止体及び板バネ状部材のうちの少なくとも一方は、前記係止体側又は板バネ状部材側に膨出した膨出部を備え、前記板バネ状部材は、前記係止体が一方に回転操作されることにより前記膨出部に押圧されて前記広幅部間に入り込んで係止し、かつ、前記係止体が他方に回転操作されることにより前記膨出部への押圧力が解除されて前記広幅部間から抜け出る係止突起を備えていることを特徴とする請求項１又は２に記載の野縁受け吊り下げ装置。
【請求項４】
前記膨出部は、前記係止体及び前記板バネ状部材のそれぞれに備え、一方の膨出部は、先細り部を備え、他方の膨出部は、前記先細り部が係止する窪み部を備えていることを特徴とする請求項３に記載の野縁受け吊り下げ装置。
【発明の詳細な説明】
【技術分野】
【０００１】
本発明は、野縁受けを吊り下げ支持するための野縁受け吊り下げ装置に関する。
【背景技術】
【０００２】
上記野縁受け吊り下げ装置は、例えば上階の梁から垂下する吊り下げボルトと、この吊り下げボルトに貫通される野縁受け部材と、吊り下げボルトに貫通した野縁受け部材の貫通部を上下方向両側から挟み込んで固定するための上下一対のナットと、を備えている。前記野縁受け部材は、野縁を支持する野縁受け具を受け止める略Ｕの字状の野縁受け本体と、野縁受け本体から上方に延びる縦部と縦部の上端から水平方向に延びて前記吊り下げボルトが貫通する貫通孔が形成された前記貫通部とを有する吊り下げ部と、を備えている。
【先行技術文献】
【特許文献】
【０００３】
【特許文献１】特開２０１３−９６１００号公報（図４参照）
【発明の概要】
【発明が解決しようとする課題】
【０００４】
上記特許文献１の野縁受け吊り下げ装置にて野縁受け具を野縁受け部材で支持する時に、野縁受け部材の上下方向の位置と野縁受け具の上下方向の位置とが施工する対象物の違い等によって大きく異なる場合がある。その場合には、上下一対のナットをそれぞれ回転させながら野縁受け部材の上下方向の位置を野縁受け具の上下方向の位置に一致させることになるが、上下一対のナットを回転させる割には吊り下げボルトに対するナットの位置を上下方向に大きく移動させることができず、野縁受け部材の上下方向の位置調整作業が手間のかかる煩わしいものであった。
【０００５】
本発明が前述の状況に鑑み、解決しようとするところは、野縁受け部材の上下方向の位置調整作業を迅速に行える野縁受け吊り下げ装置を提供することにある。
【課題を解決するための手段】
【０００６】
本発明の野縁受け吊り下げ装置は、前述の課題解決のために、建物躯体に取り付けられる取付部材から上下方向に延びる吊り下げ部材を介して野縁受け具を受け止める野縁受け部材を吊り下げ支持するための野縁受け吊り下げ装置であって、前記吊り下げ部材は、上下方向に沿って形成される長孔を備え、前記長孔を介して前記吊り下げ部材との上下方向での相対位置が変更可能に構成される位置変更部材を備え、前記位置変更部材は、前記吊り下げ部材に係止により固定される状態と係止を解除して固定が解除される状態とに切替自在な係止機構を備え、前記取付部材と前記吊り下げ部材の上端部とが連結され、かつ、前記野縁受け部材が前記位置変更部材に連結されている、又は前記吊り下げ部材の下端部と前記野縁受け部材とが連結され、かつ、前記取付部材が前記位置変更部材に連結されていることを特徴としている。
【０００７】
かかる構成によれば、取付部材と吊り下げ部材の上端部とが連結され、かつ、野縁受け部材が位置変更部材に連結されている場合には、係止機構の係止を解除して長孔を介して位置変更部材を吊り下げ部材に対して上下方向に位置変更させるだけで、野縁受け部材が一緒に上下方向に位置変更して野縁受け部材の上下方向の位置を調整することができる。よって、野縁受け部材の上下方向の位置を野縁受け具の上下方向の位置に迅速に合わせることができる。調整後は、係止機構を係止させることによって、位置変更部材と吊り下げ部材とを固定することができ、調整後の野縁受け部材の上下方向の位置を維持することができる。
また、吊り下げ部材の下端部と野縁受け部材とが連結され、かつ、取付部材が位置変更部材に連結されている場合には、係止機構の係止を解除して長孔を介して位置変更部材に対して吊り下げ部材を上下方向に位置変更させるだけで、野縁受け部材の上下方向の位置が一緒に上下方向に位置変更して野縁受け部材の上下方向の位置を調整することができる。よって、野縁受け部材の上下方向の位置を野縁受け具の上下方向の位置に迅速に合わせることができる。調整後は、係止機構を係止させることによって、位置変更部材と吊り下げ部材とを固定することができ、調整後の野縁受け部材の上下方向の位置を維持することができる。
【０００８】
また、本発明の野縁受け吊り下げ装置は、前記取付部材と前記吊り下げ部材の上端部とが連結され、かつ、前記野縁受け部材が前記位置変更部材に連結されており、前記吊り下げ部材が、前記長孔が形成された本体と、該本体の幅方向両端から内向きに折り曲げられて互いに対向する一対の板部と、を備え、前記野縁受け部材が、底部と底部の両端から上方に立ち上げられて対向する一対の縦板部とで形成される略Ｕ字状の野縁受け本体と、前記一方の縦板部から上方に延びるとともに前記野縁受け本体が移動時に前記吊り下げ部材に干渉しないようにオフセットされた状態で前記位置変更部材に連結される延出部と、を備え、該延出部の前記位置変更部材に連結される連結部分が前記一対の板部間に位置していてもよい。
【０００９】
上記構成によれば、延出部によって野縁受け本体が吊り下げ部材に対してオフセットされているので、野縁受け本体が移動時に吊り下げ部材に干渉することがない。また、延出部の位置変更部材に連結される連結部分が一対の板部間に位置しているので、位置変更部材が上下方向へ移動する時に連結部分が幅方向に位置ずれすることを一対の板部により規制することができる。よって、野縁受け部材を良好に移動させることができる。
【００１０】
また、本発明の野縁受け吊り下げ装置は、前記位置変更部材が、回転操作可能な係止体と、該係止体と前記吊り下げ部材との間に挟まれる板バネ状部材と、前記吊り下げ部材に上下方向に沿って形成される長孔を挿通し前記係止体及び板バネ状部材を抜け止め状態で連結する連結部材と、を備え、前記長孔は、長さ方向に広幅部と狭幅部とが交互に形成され、前記係止体及び板バネ状部材のうちの少なくとも一方は、前記係止体側又は板バネ状部材側に膨出した膨出部を備え、前記板バネ状部材は、前記係止体が一方に回転操作されることにより前記膨出部に押圧されて前記広幅部間に入り込んで係止し、かつ、前記係止体が他方に回転操作されることにより前記膨出部への押圧力が解除されて前記広幅部間から抜け出る係止突起を備えていてもよい。
【００１１】
上記構成によれば、係止体を一方に回転操作することによって、係止突起が広幅部間に係止突起が入り込んで係止して、位置変更部材が吊り下げ部材に固定される。また、係止体を他方に回転操作することによって、膨出部への押圧力が解除されて広幅部間から係止突起が抜け出て、吊り下げ部材に固定されていた位置変更部材が固定解除され、位置変更部材の上下位置を調整することができる。
【００１２】
また、本発明の野縁受け吊り下げ装置は、前記膨出部が、前記係止体及び前記板バネ状部材のそれぞれに備え、一方の膨出部は、先細り部を備え、他方の膨出部は、前記先細り部が係止する窪み部を備えていてもよい。
【００１３】
上記構成によれば、前述したように、係止突起が広幅部間に入り込んで係止した状態において、一方の膨出部の先細り部が窪み部に係止することによって、係止状態を維持し易い。
【発明の効果】
【００１４】
本発明によれば、位置変更部材と吊り下げ部材とが吊り下げ部材の長孔を介して上下方向に相対位置が変更可能に構成されるとともに、位置変更部材が吊り下げ部材に係止により固定される状態と係止を解除して固定が解除される状態とに切替自在な係止機構を備えているので、野縁受け部材の上下方向の位置調整作業を迅速に行える野縁受け吊り下げ装置を提供することができる。
【図面の簡単な説明】
【００１５】
【図１】第１実施形態の野縁受け吊り下げ装置を上階の梁に取り付けた正面図である。
【図２】同野縁受け吊り下げ装置の背面図である。
【図３】同野縁受け吊り下げ装置の平面図である。
【図４】同野縁受け吊り下げ装置の底面図である。
【図５】同野縁受け吊り下げ装置の右側面図である。
【図６】同野縁受け吊り下げ装置の左側面図である。
【図７】位置変更部材の分解斜視図である。
【図８】吊り下げ部材を上方へ移動させた状態を示す正面図である。
【図９】吊り下げ部材を上方へ移動させた状態を示す右側面図である。
【図１０】第２実施形態の野縁受け吊り下げ装置を上階の梁に取り付けた正面図である。
【図１１】同野縁受け吊り下げ装置の背面図である。
【図１２】同野縁受け吊り下げ装置の平面図である。
【図１３】同野縁受け吊り下げ装置の底面図である。
【図１４】同野縁受け吊り下げ装置の右側面図である。
【図１５】同野縁受け吊り下げ装置の左側面図である。
【図１６】位置変更部材を上方へ移動させた状態の正面図である。
【図１７】位置変更部材を上方へ移動させた状態の右側面図である。
【発明を実施するための形態】
【００１６】
＜第１実施形態＞
以下、本発明の野縁受け吊り下げ装置の第１実施形態を、図１〜図９に基づいて説明する。図１に示すように、野縁受け吊り下げ装置１００は、建物躯体である上階の梁１に取り付けられる取付部材２と、取付部材２に連結される位置変更部材３と、野縁受け具４を受け止める野縁受け部材５と、野縁受け部材５が連結される吊り下げ部材６と、を備えている。これらすべての部材２，３，５，６は、金属材料で構成されているが、金属材料と略同等の強度を有するものであれば、他の材料で構成してもよい。
【００１７】
野縁受け具４は、断面形状コの字状（環状など、どのような形状でもよい）に形成され、野縁受け具４の下方に配置される野縁（図示せず）を支持するものである。
【００１８】
取付部材２は、梁１の縦向きの側面１Ａにビス止めされる第１縦板部２Ａと、第１縦板部２Ａの下端から梁１から離間する側へ水平に延びる水平板部２Ｂと、水平板部２Ｂの延出端から下方に延びるとともに吊り下げ部材６を構成する後述の本体６Ａの前面に当接する第２縦板部２Ｃ（図６参照）と、を備えている。
【００１９】
位置変更部材３は、図７に示すように、回転操作可能な金属製の係止体３１と、この係止体３１と吊り下げ部材６を構成する後述の本体６Ａの裏面との間に挟まれる金属製の板バネ状部材３２と、吊り下げ部材６を構成する後述の本体６Ａに上下方向に沿って形成される長孔６Ｎを挿通し係止体３１及び板バネ状部材３２を抜け止め状態で連結する連結部材としてのリベット３３と、を備えている。
【００２０】
係止体３１は、吊り下げ部材６を構成する後述の本体６Ａの幅と同一幅で、上下端部に切欠き部３１ｈ，３１ｈが形成された異形板状体３１ａと、この異形板状体３１ａの幅方向両端のそれぞれから吊り下げ部材６から離間する側に延びる一対の操作片３１ｂ，３１ｂと、これら一対の操作片３１ｂ，３１ｂの吊り下げ部材６側の端から吊り下げ部材６側へ突出する一対のストッパ片３１ｃ，３１ｃと、を備えている。
【００２１】
一方（上側）のストッパ片３１ｃは、異形板状体３１ａの上端部の幅方向一端側を切り欠いて形成され、他方（下側）のストッパ片３１ｃは、異形板状体３１ａの下端部の幅方向他端側を切り欠いて形成されている。
【００２２】
また、異形板状体３１ａの中心に、前記リベット３３が挿通する貫通孔３１ｄが形成されている。また、異形板状体３１ａの貫通孔３１ｄの両側のそれぞれに、板バネ状部材３２側に膨出する先端が尖った円錐状の第１膨出部３１ｅが形成され、貫通孔３１ｄと一対の第１膨出部３１ｅ，３１ｅとが一列状に並んだ状態になっている。
【００２３】
そして、貫通孔３１ｄ及び一対の第１膨出部３１ｅ，３１ｅの上側と下側とに板バネ状部材３２から離間する側に突出する横リブ３１ｇがそれぞれ形成されている。第１膨出部３１ｅ，３１ｅの突出端は、先細りとなる先細り部３１ｆ，３１ｆが形成され、先細り部３１ｆ，３１ｆが後述する凹部（窪み部）３２ｆに係止する。
【００２４】
板バネ状部材３２は、吊り下げ部材６を構成する後述の本体６Ａの幅と同一幅の基盤３２ａと、吊り下げ部材６を構成する後述の一対の板部６Ｂ，６Ｂを両側から挟むように基盤３２ａの幅方向両端に吊り下げ部材６側に突出する一対のガイド部３２ｂと、基盤３２ａの幅方向両端部のそれぞれから上方及び下方に延びる弾性変形部３２ｃと、弾性変形部３２ｃ，３２ｃそれぞれの上端及び下端に吊り下げ部材６側に湾曲した凸となるように曲げ加工された押え部３２ｈ，３２ｈを備えている。
【００２５】
基盤３２ａの中心に、前記リベット３３が挿通する貫通孔３２ｄが形成されている。また、貫通孔３２ｄの両側に上下方向に長い長円形状に形成された一対の第２膨出部３２ｅ，３２ｅを備えている。一対の第２膨出部３２ｅ，３２ｅそれぞれの中心には、前記各第１膨出部３１ｅの先細り部３１ｆが係止する凹部（窪み部）３２ｆが形成されている。また、基盤３２ａの貫通孔３２ｄの上側及び下側のそれぞれに、長孔６Ｎの広幅部６ａと同一幅を有する幅方向に延びる係止突起３２ｇを備えている。これら係止突起３２ｇ，３２ｇは、基盤３２ａに切り込みを入れ、吊り下げ部材６側に折り曲げることによって、吊り下げ部材６側に突出する突条に形成されている。
【００２６】
吊り下げ部材６は、図７に示すように、長孔６Ｎが上下方向に沿って形成された板状の本体６Ａと、本体６Ａの幅方向両端から内向きに折り曲げられて互いに対向する一対の板部６Ｂ，６Ｂと、を備え、下端部で９０度折り曲げられて水平方向に向いた水平部６１（図１、図２参照）を備えている。長孔６Ｎは、本体６Ａの幅方向中央に上下方向に延びるように形成され、長孔６Ｎを確定する幅方向で対向する一対の辺は、波型形状に形成され、広幅部６ａと狭幅部６ｂとが上下に交互に形成されている。
【００２７】
従って、異形板状体３１ａの貫通孔３１ｄ、板バネ状部材３２の貫通孔３２ｄ、吊り下げ部材６の長孔６Ｎ、取付部材２の第２縦板部２Ｃに形成の貫通孔２Ｋの順にリベット３３の軸部３３Ａを挿通させて軸部３３Ａの先端をかしめることによって、吊り下げ部材６を厚み方向一方側に位置する異形板状体３１ａ及び板バネ状部材３２と厚み方向他方側に位置する取付部材２の第２縦板部２Ｃとで挟み込んだ状態で固定している。このように固定された異形板状体３１ａを備える係止体３１をリベット３３の軸中心に９０度の範囲で回転させることによって、係止状態と係止解除状態とに切替えることができる。係止体３１と板バネ状部材３２とで位置変更部材３を吊り下げ部材６に係止により固定される状態と係止を解除して固定が解除される状態とに切替自在な係止機構３４を構成している。
【００２８】
係止体３１を一方に回転操作したときの前記係止状態では、係止体３１により押圧された板バネ状部材３２が吊り下げ部材６側に接近するように突出変形する。これによって、係止突起３２ｇ，３２ｇが広幅部６ａ，６ａ間に入り込んで係止し、係止体３１を含む位置変更部材３の上下方向の移動が阻止される。これら係止突起３２ｇ，３２ｇが広幅部６ａ，６ａ間に係止突起が入り込んで係止した状態において、一方の膨出部である第１膨出部３１ｅ，３１ｅの先細り部３１ｆ，３１ｆが第２膨出部３２ｅ，３２ｅの凹部（窪み部）３２ｆ，３２ｆに係止することによって、係止状態を維持し易い。
【００２９】
また、係止体３１を他方に回転操作したときの前記係止解除状態では、係止体３１からの押圧力が解除されることにより板バネ状部材３２が吊り下げ部材６から離間する側に弾性復帰する。これによって、広幅部６ａ，６ａ間に入り込んでいた係止突起３２ｇ，３２ｇが広幅部６ａ，６ａ間から抜け出ることで係止体３１を含む位置変更部材３の上下方向の移動が可能になり、位置変更部材３の上下位置を調整できる。この係止体３１の上下方向への移動時には、板バネ状部材３２と取付部材２とが一体的に上下方向へ移動する。
【００３０】
野縁受け部材５は、板状の底部５Ａと底部５Ａの両端から上方に立ち上げられて対向する一対の板状の縦板部５Ｂ，５Ｂとで形成される略Ｕ字状の野縁受け本体５Ｃと、前記一方の縦板部５Ｂから上方に延びる延出部５Ｄと、延出部５Ｄの上端部で９０度折り曲げられて水平方向に向いた板状の水平部５Ｅと、を備えている。水平部５Ｅが、吊り下げ部材６の水平部６１にビス止めされて野縁受け部材５が吊り下げ部材６に連結されている。
【００３１】
上記のように、吊り下げ部材６の下端部と野縁受け部材５とが連結され、かつ、取付部材２が位置変更部材３に連結されている場合には、係止機構３４の係止を解除して位置変更部材３に対する吊り下げ部材６の上下方向の位置を変更するだけで、野縁受け部材５の上下方向の位置も一緒に変更することができる。よって、野縁受け部材５の上下方向の位置を野縁受け具４の上下方向の位置に迅速に合わせることができる。
【００３２】
調整後は、係止機構３４を係止させることによって、位置変更部材３を吊り下げ部材６に固定することができ、調整後の野縁受け部材５の上下方向の位置を維持することができる。図８及び図９では、図１に比べて吊り下げ部材６を位置変更部材３に対して上方へ移動させた状態を示している。
【００３３】
＜第２実施形態＞
次に、本発明の野縁受け吊り下げ装置の第２実施形態を、図１０〜図１７に基づいて説明する。第１実施形態では、吊り下げ部材６の下端部と野縁受け部材５とが連結され、かつ、取付部材２が位置変更部材３に連結されていたが、第２実施形態では、取付部材２と吊り下げ部材６の上端部とが連結され、かつ、野縁受け部材５が位置変更部材３に連結されている。
【００３４】
図１０に示すように、野縁受け吊り下げ装置１００は、建物躯体である上階の梁１に取り付けられる取付部材２と、取付部材２に連結される吊り下げ部材６と、野縁受け具４を受け止める野縁受け部材５と、吊り下げ部材６に取り付けられ野縁受け部材５が連結される位置変更部材３と、を備えている。これらすべての部材２，６，５，３は、金属材料で構成されているが、金属材料と略同等の強度を有するものであれば、他の材料で構成してもよい。野縁受け具４は、断面形状コの字状に形成され、野縁受け具４の下方に配置される野縁（図示せず）を支持するものである。
【００３５】
取付部材２は、梁１の縦向きの側面１Ａにビス止めされる縦板部２Ａと、縦板部２Ａの下端から側面から離間する側へ水平に延びる水平板部２Ｂと、を備えている。水平板部２Ｂが、吊り下げ部材６の後述する水平部６１にビス止めされて両者が連結されている。
【００３６】
位置変更部材３は、第１実施形態で説明した構成と同一（図７と同一）であるため、説明を省略し、同一符号を付している。
【００３７】
吊り下げ部材６は、図１の吊り下げ部材６を上下反対にしたものである。この吊り下げ部材６は、図７に示す長孔６Ｎが上下方向に沿って形成された板状の本体６Ａと、本体６Ａの幅方向両端から内向きに折り曲げられて互いに対向する一対の板部６Ｂ，６Ｂと、を備え、上端部で９０度折り曲げられて水平方向に向いた水平部６１を備えている。
【００３８】
長孔６Ｎは、本体６Ａの幅方向中央に上下方向に延びるように形成され、長孔６Ｎを確定する幅方向で対向する一対の辺は、波型形状に形成され、広幅部６ａと狭幅部６ｂとが上下に交互に形成されている（図７参照）。
【００３９】
従って、異形板状体３１ａの貫通孔３１ｄ、板バネ状部材３２の貫通孔３２ｄ、吊り下げ部材６の長孔６Ｎ、野縁受け部材５の縦板部５Ｆに形成の貫通孔（図示せず）の順にリベット３３の軸部３３Ａを挿通させて軸部３３Ａの先端をかしめることによって、吊り下げ部材６を厚み方向一方側に位置する異形板状体３１ａ及び板バネ状部材３２と厚み方向他方側に位置する野縁受け部材５の縦板部５Ｆとで挟み込んだ状態で固定している。このように固定された異形板状体３１ａを備える係止体３１をリベット３３の軸中心に９０度の範囲で回転させることによって、係止状態と係止解除状態とに切替えることができる。前述同様に、係止体３１と板バネ状部材３２とで位置変更部材３を吊り下げ部材６に係止により固定される状態と係止を解除して固定が解除される状態とに切替自在な係止機構３４を構成している。
【００４０】
前記係止状態では、係止体３１により押圧された板バネ状部材３２が吊り下げ部材６側に接近するように突出変形する。これによって、係止突起３２ｇ，３２ｇが広幅部６ａ，６ａ間に入り込んで係止し、係止体３１の上下方向の移動が阻止される。
【００４１】
また、前記係止解除状態では、係止体３１からの押圧力が解除されることにより板バネ状部材３２が吊り下げ部材６から離間する側に弾性復帰する。これによって、広幅部６ａ，６ａ間に入り込んでいた係止突起３２ｇ，３２ｇが広幅部６ａ，６ａ間から抜け出ることで係止体３１の上下方向の移動が可能になる。この係止体３１の上下方向への移動時には、板バネ状部材３２と野縁受け部材５とが一体的に上下方向へ移動する。
【００４２】
野縁受け部材５は、板状の底部５Ａと底部５Ａの両端から上方に立ち上げられて対向する一対の板状の縦板部５Ｂ，５Ｂとで形成される略Ｕ字状の野縁受け本体５Ｃと、前記一方の縦板部５Ｂから上方に延びる延出部５Ｄと、延出部５Ｄの上端部で９０度折り曲げられて他方の縦板部５Ｂから離間する側に延びる水平姿勢の板状の水平部５Ｅと、水平部５Ｅの延出端から上方に延びて位置変更部材３の係止体３１に連結される連結部分としての縦板部５Ｆと、を備えている。水平部５Ｅの水平方向の長さは、係止体３１に縦板部５Ｆが連結された状態において水平部５Ｅの一部が吊り下げ部材６から外部へ突出する長さに設定している。
【００４３】
したがって、水平部５Ｅを備えることによって、野縁受け本体５Ｃが上方へ移動した時に吊り下げ部材６に干渉しないようにオフセットされた状態にすることができる。また、縦板部５Ｆが吊り下げ部材６を構成する一対の板部６Ｂ，６Ｂ間に位置しているので、上下方向の移動時に縦板部５Ｆが一対の板部６Ｂ，６Ｂから外れることがない。よって、野縁受け部材５を良好に移動させることができる。
【００４４】
上記のように、取付部材２と吊り下げ部材６の上端部とが連結され、かつ、野縁受け部材５が位置変更部材３に連結されている場合には、係止機構３４の係止を解除して位置変更部材３を上下方向に移動させるだけで、野縁受け部材５が一緒に上下方向に移動して野縁受け部材５の上下方向の位置を調整することができる。よって、野縁受け部材５の上下方向の位置を野縁受け具４の上下方向の位置に迅速に合わせることができる。
【００４５】
調整後は、係止機構３４を係止させることによって、位置変更部材３を吊り下げ部材６に固定することができ、調整後の野縁受け部材５の上下方向の位置を維持することができる。図１６及び図１７では、図１０に比べて位置変更部材３を吊り下げ部材６に対して上方へ移動させた状態を示している。
【００４６】
尚、本発明は、前記実施形態に限定されるものではなく、本発明の要旨を逸脱しない範囲で種々の変更が可能である。
【００４７】
前記第２実施形態では、野縁受け本体５Ｃが上方へ移動した時に吊り下げ部材６に干渉しないようにオフセットされた状態にするために水平部５Ｅを備えたが、例えば傾斜部であってもよいし、湾曲部であってもよい。
【００４８】
また、前記第１実施形態及び第２実施形態では、係止機構３４を、係止体３１と板バネ状部材３２との２つの部材で構成したが、一つの部材で構成してもよい。
【００４９】
また、前記第１実施形態及び第２実施形態では、吊り下げ部材６に水平部６１を備えたが、水平部６１の無い吊り下げ部材６に構成して実施してもよい。
【符号の説明】
【００５０】
１…梁、１Ａ…側面、２…取付部材、２Ａ…（第１）縦板部、２Ｂ…水平板部、２Ｃ…第２縦板部、２Ｋ…貫通孔、３…位置変更部材、４…野縁受け具、５…野縁受け部材、５Ａ…底部、５Ｂ…縦板部、５Ｃ…野縁受け本体、５Ｄ…延出部、５Ｅ…水平部、５Ｆ…縦板部、６…吊り下げ部材、６Ａ…本体、６Ｂ…板部、６Ｎ…長孔、６ａ…広幅部、６ｂ…狭幅部、３１…係止体、３１ａ…異形板状体、３１ｂ…操作片、３１ｃ…ストッパ片、３１ｄ…貫通孔、３１ｅ…第１膨出部、３１ｆ…先細り部、３１ｇ…横リブ、３１ｈ…切欠き部、３２…板バネ状部材、３２ａ…基盤、３２ｂ…ガイド部、３２ｃ…弾性変形部、３２ｄ…貫通孔、３２ｅ…膨出部、３２ｇ…係止突起、３２ｇ…係止突起、３２ｈ…押え部、３３…リベット、３３Ａ…軸部、３４…係止機構、６１…水平部、１００…野縁受け吊り下げ装置
【図１】
2020084564.tif 000003
【図２】
2020084564.tif 000004
【図３】
2020084564.tif 000005
【図４】
2020084564.tif 000006
【図５】
2020084564.tif 000007
【図６】
2020084564.tif 000008
【図７】
2020084564.tif 000009
【図８】
2020084564.tif 000010
【図９】
2020084564.tif 000011
【図１０】
2020084564.tif 000012
【図１１】
2020084564.tif 000013
【図１２】
2020084564.tif 000014
【図１３】
2020084564.tif 000015
【図１４】
2020084564.tif 000016
【図１５】
2020084564.tif 000017
【図１６】
2020084564.tif 000018
【図１７】
2020084564.tif 000019